(57)【要約】【課題】二次電池を搭載した電動車両において、二次電池のハイレート劣化を抑制しつつＥＶ走行距離の低下を抑制する。【解決手段】ＥＣＵ２６は、ＥＶモード中にＳＯＣが下限まで低下すると、制御モードをＨＶモードに切替える。また、ＥＣＵ２６は、電池１６内の塩濃度の偏りに起因した二次電池の劣化成分を示すハイレート劣化の評価値ΣＤを算出する。ＥＣＵ２６は、ＨＶモードが選択され、かつ、評価値ΣＤにより電池１６が劣化しているものと評価される場合に、ＳＯＣの制御目標をＳＯＣ下限よりも高めることによってＳＯＣを上昇させるハイレート劣化抑制制御を実行する。一方、ＥＶモードが選択されている場合には、ＥＣＵ２６は、ハイレート劣化抑制制御を非実行とする。【選択図】図１
2019130984.tif 000002
【特許請求の範囲】
【請求項１】
電力を受けて車両駆動力を発生するとともに発電可能に構成された車両駆動装置と、
前記車両駆動装置との間で電力をやり取りする二次電池と、
前記二次電池のＳＯＣを消費するＥＶモード中に前記ＳＯＣが下限まで低下すると、前記ＳＯＣを前記下限に制御するＨＶモードに制御モードを切替えるように構成された制御装置とを備え、
前記制御装置は、さらに、
前記二次電池内の塩濃度の偏りに起因した前記二次電池の劣化の度合いを示す評価値を算出し、
前記ＨＶモードが選択され、かつ、前記評価値により前記二次電池が劣化しているものと評価される場合に、前記ＳＯＣの制御目標を前記下限よりも高めることによって前記ＳＯＣを上昇させる劣化抑制制御を実行し、
前記ＥＶモードが選択されている場合には、前記劣化抑制制御を非実行とする、電動車両。
【請求項２】
前記制御装置は、ユーザの要求に従って前記ＳＯＣを前記下限よりも高い状態に維持するＨＶＳモードに前記制御モードをさらに切替可能に構成され、
前記制御装置は、前記ＨＶＳモードが選択されている場合には、前記劣化抑制制御を非実行とする、請求項１に記載の電動車両。
【請求項３】
車両外部の電源により前記二次電池を充電するための充電装置をさらに備え、
前記制御装置は、前記充電装置を用いた前記二次電池の充電が実行されると、前記劣化抑制制御が実行されている場合には、前記劣化抑制制御を非実行とする、請求項１又は請求項２に記載の電動車両。
【請求項４】
前記制御装置は、前記車両駆動装置による発電が所定期間継続すると、前記劣化抑制制御が実行されている場合には、前記劣化抑制制御を非実行とする、請求項１から請求項３のいずれか１項に記載の電動車両。
【請求項５】
電動車両の制御方法であって、
前記電動車両は、
電力を受けて車両駆動力を発生するとともに発電可能に構成された車両駆動装置と、
前記車両駆動装置との間で電力をやり取りする二次電池とを備え、
前記電動車両は、前記二次電池のＳＯＣを消費するＥＶモード中に前記ＳＯＣが下限まで低下すると、前記ＳＯＣを前記下限に制御するＨＶモードに制御モードを切替えるように構成され、
前記制御方法は、
前記二次電池内の塩濃度の偏りに起因した前記二次電池の劣化の度合いを示す評価値を算出するステップと、
前記ＨＶモードが選択され、かつ、前記評価値により前記二次電池が劣化しているものと評価される場合に、前記ＳＯＣの制御目標を前記下限よりも高めることによって前記ＳＯＣを上昇させる劣化抑制制御を実行するステップとを含み、
前記ＥＶモードが選択されている場合には、前記劣化抑制制御が非実行とされる、電動車両の制御方法。
【発明の詳細な説明】
【技術分野】
【０００１】
本開示は、電動車両及び電動車両の制御方法に関し、特に、電動車両に搭載される二次電池に生じるハイレート劣化を抑制するための制御技術に関する。
【背景技術】
【０００２】
二次電池の充放電に伴ない二次電池の電解液に塩濃度の偏りが生じると、二次電池の内部抵抗が上昇する。この塩濃度の偏りに起因した内部抵抗の上昇は、二次電池を構成する材料の経年劣化と区別して「ハイレート劣化」等と称される。
【０００３】
特開２０１３−１０６４８１号公報（特許文献１）には、ハイブリッド車両に搭載された二次電池においてハイレート劣化が生じると、一定の電池出力及び走行距離を確保するために、二次電池のＳＯＣ（State  Of  Charge）の制御目標を示す目標ＳＯＣを通常時（ハイレート劣化が生じていないとき）の目標ＳＯＣよりも高めることが開示されている（特許文献１参照）。
【先行技術文献】
【特許文献】
【０００４】
【特許文献１】特開２０１３−１０６４８１号公報
【発明の概要】
【発明が解決しようとする課題】
【０００５】
上記公報に開示される車両においては、二次電池のＳＯＣが目標ＳＯＣよりも高い場合は、ＳＯＣが目標ＳＯＣに低下するまで、基本的に二次電池に蓄えられた電力を用いたモータ走行（以下「ＥＶ走行」と称する。）が行なわれる。そして、ＳＯＣが目標ＳＯＣまで低下すると、エンジン等を用いた発電機構を適宜作動させてＳＯＣを目標ＳＯＣに制御しつつ走行するハイブリッド走行（以下「ＨＶ走行」とも称する。）が行なわれる。
【０００６】
このような車両においてハイレート劣化が生じた場合に、一律に二次電池の目標ＳＯＣが通常時の目標ＳＯＣよりも高められると、ＥＶ走行可能な距離が不必要に短くなったり、或いはＥＶ走行ができなくなる可能性がある。
【０００７】
本開示は、かかる問題を解決するためになされたものであり、本開示の目的は、二次電池を搭載した電動車両において、二次電池のハイレート劣化を抑制しつつＥＶ走行距離の低下を抑制することである。
【課題を解決するための手段】
【０００８】
本開示における電動車両は、電力を受けて車両駆動力を発生するとともに発電可能に構成された車両駆動装置と、車両駆動装置との間で電力をやり取りする二次電池と、制御装置とを備える。制御装置は、二次電池のＳＯＣを消費するＥＶモード中にＳＯＣが下限まで低下すると、ＳＯＣを下限に制御するＨＶモードに制御モードを切替えるように構成される。制御装置は、さらに、二次電池内の塩濃度の偏りに起因した二次電池の劣化（ハイレート劣化）の度合いを示す評価値（ΣＤ）を算出する。そして、制御装置は、ＨＶモードが選択され、かつ、評価値（ΣＤ）により二次電池が劣化しているものと評価される場合に、ＳＯＣの制御目標をＳＯＣ下限よりも高めることによってＳＯＣを上昇させる劣化抑制制御（ハイレート劣化抑制制御）を実行する。一方、ＥＶモードが選択されている場合には、制御装置は、劣化抑制制御を非実行とする。
【０００９】
また、本開示における制御方法は、電動車両の制御方法である。電動車両は、電力を受けて車両駆動力を発生するとともに発電可能に構成された車両駆動装置と、車両駆動装置との間で電力をやり取りする二次電池とを備える。電動車両は、二次電池のＳＯＣを消費するＥＶモード中にＳＯＣが下限まで低下すると、ＳＯＣを下限に制御するＨＶモードに制御モードを切替えるように構成される。制御方法は、二次電池内の塩濃度の偏りに起因した二次電池の劣化（ハイレート劣化）の度合いを示す評価値（ΣＤ）を算出するステップと、ＨＶモードが選択され、かつ、評価値（ΣＤ）により二次電池が劣化しているものと評価される場合に、ＳＯＣの制御目標をＳＯＣ下限よりも高めることによってＳＯＣを上昇させる劣化抑制制御（ハイレート劣化抑制制御）を実行するステップとを含む。そして、ＥＶモードが選択されている場合には、劣化抑制制御が非実行とされる。
【００１０】
ハイレート劣化は、ＳＯＣが低い領域で二次電池が使用されると促進される特性を有する。これは、ＳＯＣが低い領域では、電池の負極の膨張・収縮が大きくなり、電池セル内の電解液が押し出されやすくなるので、電池セル面内の塩濃度差が生じやすくなるためと考えられる。本開示の電動車両及び制御方法においては、ＳＯＣを下限に制御するＨＶモードが選択され、かつ、評価値（ΣＤ）により二次電池が劣化しているものと評価される場合に、ＳＯＣの制御目標をＳＯＣ下限よりも高めることによってＳＯＣを上昇させる劣化抑制制御（ハイレート劣化抑制制御）が実行される。これにより、ＳＯＣが下限に制御されることでハイレート劣化が促進されるのを抑制することができる。
【００１１】
また、ハイレート劣化は、特に、低ＳＯＣ領域で充電方向の電流が流れると促進される特性を有する。充電方向の電流が流れることにより生じたハイレート劣化は、放電方向の電流が継続的に流れることにより回復傾向となる。本開示の電動車両及び制御方法においては、ＥＶモードが選択されている場合には、評価値（ΣＤ）がしきい値に達していても、劣化抑制制御（ハイレート劣化抑制制御）が非実行とされる。ＳＯＣが消費されるＥＶモードでは、充電よりも放電の割合の方が大きくなるので、継続的な放電によるハイレート劣化の回復が期待できる。そして、劣化抑制制御が非実行とされることにより、ＳＯＣの下限までＥＶ走行可能となり、ＥＶ走行距離を確保することができる。
【００１２】
このように、本開示の電動車両及び制御方法によれば、二次電池のハイレート劣化を抑制しつつＥＶ走行距離の低下を抑制することができる。
【００１３】
なお、ＨＶモードが選択され、かつ、評価値（ΣＤ）により二次電池が劣化しているものと評価される場合とは、ＨＶモードの選択中に評価値により二次電池が劣化しているものと評価される場合と、評価値により二次電池が劣化しているものと評価されているときにＥＶモードからＨＶモードへ制御モードが切替わった場合とを含む。
【００１４】
制御装置は、ユーザの要求に従ってＳＯＣを下限よりも高い状態に維持するＨＶＳモードにさらに切替可能に構成されてもよい。そして、制御装置は、ＨＶＳモードが選択されている場合には、劣化抑制制御を非実行としてもよい。
【００１５】
ＨＶＳモードが選択されている場合は、ＳＯＣが下限よりも高い状態に維持されるので、ハイレート劣化の進行が抑制される。また、ＨＶＳモードが選択される場合は、ＳＯＣを確保して後のＥＶ走行を可能にすることが想定されるところ、この場合に劣化抑制制御が実行されることによりＳＯＣの制御目標が高められると、ＥＶ走行距離が短くなったり、ＥＶ走行ができなくなる可能性がある。そこで、ＨＶＳモードが選択されている場合には、劣化抑制制御を非実行とすることにより、ハイレート劣化の進行を抑制しつつＥＶ走行距離も確保することができる。
【００１６】
電動車両は、車両外部の電源により二次電池を充電するための充電装置をさらに備えてもよい。そして、制御装置は、充電装置を用いた二次電池の充電（以下「外部充電」とも称する。）が実行されると、劣化抑制制御が実行されている場合は、劣化抑制制御を非実行としてもよい。
【００１７】
外部充電が実行されると、ユーザは、十分なＥＶ走行距離が確保されるものと期待する。しかしながら、仮に劣化抑制制御が実行（継続）されていると、ＳＯＣ制御目標が高められていることによりＥＶ走行距離が短くなる。また、ＳＯＣとＳＯＣ制御目標との偏差がユーザに向けて表示されるような場合には、外部充電が実行されたにも拘わらず蓄電量が十分でないとの違和感をユーザが覚える可能性もある。そこで、外部充電が実行されると劣化抑制制御を非実行とすることにより、外部充電後のＥＶ走行距離を確保するとともに、ＳＯＣ残量表示においてユーザが違和感を覚えるのを抑制することができる。
【００１８】
制御装置は、車両駆動装置による発電が所定期間継続すると、劣化抑制制御が実行されている場合には、劣化抑制制御を非実行としてもよい。
【００１９】
たとえば降坂走行が継続した場合等、車両駆動装置による発電が継続すると、ユーザは、十分な電力量が回収され、その後十分なＥＶ走行距離が確保されているものと期待する。しかしながら、仮に劣化抑制制御が実行（継続）されていると、上記の外部充電の場合と同様に、ＥＶ走行距離が短くなり、また、上記のようなＳＯＣ残量表示において違和感をユーザが覚える可能性がある。そこで、車両駆動装置による発電が所定期間継続すると劣化抑制制御を非実行とすることにより、降坂走行が継続した後などのＥＶ走行距離を確保するとともに、ＳＯＣ残量表示においてユーザが違和感を覚えるのを抑制することができる。
【発明の効果】
【００２０】
本開示における電動車両及び制御方法によれば、二次電池のハイレート劣化を抑制しつつＥＶ走行距離の低下を抑制することができる。
【図面の簡単な説明】
【００２１】
【図１】本開示の実施の形態に従う電動車両の一例として示されるハイブリッド車両の全体構成を説明するブロック図である。
【図２】電池のＳＯＣの推移の一例を示した図である。
【図３】ＳＯＣと充電要求パワーとの関係を示した図である。
【図４】ハイレート劣化の評価値とＳＯＣ目標との関係の一例を示した図である。
【図５】図１に示すＥＣＵの機能ブロック図である。
【図６】ＥＣＵにより実行されるハイレート劣化抑制制御の処理手順の一例を示したフローチャートである。
【図７】ハイレート劣化抑制制御の終了判定の一例を示したフローチャートである。
【発明を実施するための形態】
【００２２】
以下、本開示の実施の形態について、図面を参照しながら詳細に説明する。なお、図中同一又は相当部分には同一符号を付してその説明は繰り返さない。
【００２３】
図１は、本開示の実施の形態に従う電動車両の一例として示されるハイブリッド車両の全体構成を説明するブロック図である。図１を参照して、ハイブリッド車両１００は、車両駆動装置２２と、伝達ギヤ８と、駆動軸１２と、車輪１４と、電池１６と、ＥＣＵ（Electronic  Control  Unit）２６とを備える。また、ハイブリッド車両１００は、充電器２８と、接続部３０とをさらに備える。
【００２４】
車両駆動装置２２は、車両駆動力を発生するとともに発電可能に構成される。具体的には、車両駆動装置２２は、エンジン２と、動力分割装置４と、モータジェネレータ６，１０と、電力変換器１８，２０とを含む。
【００２５】
エンジン２は、燃料の燃焼による熱エネルギーをピストンやロータなどの運動子の運動エネルギーに変換することによって動力を出力する内燃機関である。エンジン２の燃料としては、ガソリンや軽油、エタノール、液体水素、天然ガスなどの炭化水素系燃料、又は、液体若しくは気体の水素燃料が好適である。
【００２６】
モータジェネレータ６，１０は、交流回転電機であり、たとえば、ロータに永久磁石が埋設された三相交流同期電動機である。モータジェネレータ６は、動力分割装置４を経由してエンジン２により駆動される発電機として用いられるとともに、エンジン２を始動するための電動機としても用いられる。モータジェネレータ１０は、主として電動機として動作し、駆動軸１２を駆動する。一方で、車両の制動時や降坂走行時には、モータジェネレータ１０は、発電機として動作して回生発電を行なう。
【００２７】
動力分割装置４は、たとえば、サンギヤ、キャリア、リングギヤの３つの回転軸を有する遊星歯車機構を含む。動力分割装置４は、エンジン２の駆動力を、モータジェネレータ６の回転軸に伝達される動力と、伝達ギヤ８に伝達される動力とに分割する。伝達ギヤ８は、車輪１４を駆動するための駆動軸１２に連結される。また、伝達ギヤ８は、モータジェネレータ１０の回転軸にも連結される。
【００２８】
電池１６は、再充電可能な二次電池であり、たとえば、ニッケル水素電池やリチウムイオン電池等の二次電池である。電池１６は、電力変換器１８，２０へ電力を供給する。また、電池１６は、モータジェネレータ６及び／又は１０の発電時に発電電力を受けて充電される。さらに、電池１６は、接続部３０を通じて車両外部の電源（図示せず）から供給される電力を受けて充電され得る。電流センサ２４は、電池１６に入出力される電流Ｉを検出し（電池１６からの出力（放電）を正値、電池１６への入力（充電）を負値として検出する。）、その検出値をＥＣＵ２６へ出力する。
【００２９】
なお、電池１６の残存容量は、たとえば、電池１６の満充電状態に対する現在の蓄電量を百分率で表したＳＯＣによって示される。ＳＯＣは、たとえば、電流センサ２４及び／又は図示されない電圧センサの検出値に基づいて算出される。ＳＯＣは、ＥＣＵ２６で算出してもよいし、電池１６に別途設けられるＥＣＵで算出してもよい。
【００３０】
電力変換器１８は、ＥＣＵ２６から受ける制御信号に基づいて、モータジェネレータ６と電池１６との間で双方向の直流／交流電力変換を実行する。同様に、電力変換器２０は、ＥＣＵ２６から受ける制御信号に基づいて、モータジェネレータ１０と電池１６との間で双方向の直流／交流電力変換を実行する。これにより、モータジェネレータ６，１０は、電池１６との間での電力の授受を伴なって、電動機として動作するための正トルク又は発電機として動作するための負トルクを出力することができる。電力変換器１８，２０は、たとえばインバータによって構成される。なお、電池１６と電力変換器１８，２０との間に、直流電圧変換のための昇圧コンバータを配置してもよい。
【００３１】
充電器２８は、接続部３０に電気的に接続される車両外部の電源からの電力を電池１６の電圧レベルに変換して電池１６へ出力する（以下、車両外部の電源を「外部電源」とも称し、外部電源による電池１６の充電を「外部充電」とも称する。）。充電器２８は、たとえば整流器やインバータを含んで構成される。なお、外部電源からの受電方法は、接続部３０を用いた接触受電に限定されず、接続部３０に代えて受電用コイル等を用いて外部電源から非接触で受電してもよい。
【００３２】
ＥＣＵ２６は、ＣＰＵ（Central  Processing  Unit）、記憶装置、入出力バッファ等を含み（いずれも図示せず）、ハイブリッド車両１００における各機器の制御を行なう。なお、これらの制御については、ソフトウェアによる処理に限られず、専用のハードウェア（電子回路）で処理することも可能である。
【００３３】
ＥＣＵ２６の主要な制御として、ＥＣＵ２６は、車速とアクセルペダルの操作量に応じたアクセル開度とに基づいて車両駆動トルク（要求値）を算出し、算出された車両駆動トルクに基づいて車両駆動パワー（要求値）を算出する。また、ＥＣＵ２６は、電池１６のＳＯＣに基づいて電池１６の充電要求パワーをさらに算出し、車両駆動パワーに充電要求パワーを加えたパワー（以下「車両パワー」と称する。）を発生するように車両駆動装置２２を制御する。
【００３４】
ＥＣＵ２６は、車両パワーが小さいときは、エンジン２を停止させてモータジェネレータ１０のみで走行（ＥＶ走行）するように車両駆動装置２２を制御する。これにより、電池１６は放電し、電池１６のＳＯＣは減少する。車両パワーが大きくなると、ＥＣＵ２６は、エンジン２を作動させて走行（ＨＶ走行）するように車両駆動装置２２を制御する。このとき、エンジン２の出力が車両パワーよりも大きければ電池１６は充電され、車両パワーの方がエンジン出力よりも大きければ電池１６は放電する。
【００３５】
そして、ＥＣＵ２６は、ＨＶ走行を許容しつつもＥＶ走行を主体的に行なうことによって電池１６のＳＯＣを積極的に消費するモード（ＥＶモード）と、ＨＶ走行とＥＶ走行とを適宜切替えることによってＳＯＣを維持するモードとを選択的に適用して車両の走行を制御する。後者のモードについては、ＳＯＣが所定の下限まで低下するとＳＯＣを下限に維持するモード（ＨＶモード）と、ユーザの要求に従ってＳＯＣを下限よりも高い状態に維持するモード（ＨＶＳモード）とを含む。各モードについては、後ほど詳しく説明する。
【００３６】
また、ＥＣＵ２６は、外部充電の実行中、接続部３０に電気的に接続される外部電源から供給される電力を電池１６の電圧レベルに変換して電池１６へ出力するように充電器２８を制御する。
【００３７】
さらに、ＥＣＵ２６は、電池１６の充放電に伴なう電池１６の塩濃度の継続的な偏りに起因した電池１６の劣化（ハイレート劣化）の度合いを示す評価値（ΣＤ）を算出する。評価値（ΣＤ）の算出方法については後ほど詳しく説明するが、この評価値は、電池１６が充電過多の使われ方をすることによって塩濃度の偏りが生じた場合には負の値を示し、電池１６が放電過多の使われ方をすることによって塩濃度の偏りが生じた場合には正の値を示す。
【００３８】
ハイレート劣化は、ＳＯＣが低い領域で電池が使用されると促進される特性を有する。これは、ＳＯＣが低い領域では、電池の負極の膨張・収縮が大きくなり、電池セル内の電解液が押し出されやすくなるので、電池セル面内の塩濃度差が生じやすくなるためと考えられる。そこで、評価値（ΣＤ）によりハイレート劣化が進行していると評価される場合に、ＳＯＣの制御目標を高めることによってＳＯＣを上昇させることが考えられる（以下、このようなＳＯＣ制御を「ハイレート劣化抑制制御」と称する。）。
【００３９】
しかしながら、ハイレート劣化が進行していると評価される場合に、一律にハイレート劣化抑制制御を実行することによってＳＯＣの制御目標が高められると、ＥＶ走行可能な距離が不必要に短くなったり、或いはＥＶ走行ができなくなる可能性がある。
【００４０】
また、ハイレート劣化は、特に、低ＳＯＣ領域で充電方向の電流が流れると促進される特性を有する。充電方向の電流が流れることにより生じたハイレート劣化は、放電方向の電流が継続的に流れることにより回復傾向となる。
【００４１】
そこで、この実施の形態では、ＥＣＵ２６は、ＨＶモードが選択されており、かつ、評価値（ΣＤ）によりハイレート劣化が進行していると評価される場合（たとえば評価値がしきい値を下回る場合）に、ハイレート劣化抑制制御を実行する。一方、ＥＣＵ２６は、ＥＶモードが選択されている場合には、ハイレート劣化抑制制御を非実行とする。
【００４２】
これにより、ＳＯＣを下限に制御するためにハイレート劣化が促進されやすいＨＶモードが選択されている場合に、ハイレート劣化を効果的に抑制することができる。一方、ＳＯＣが消費されるＥＶモードにおいては、充電よりも放電の割合の方が大きくなるので、継続的な放電によりハイレート劣化の回復が期待できる。そこで、ＥＶモードが選択されている場合には、ハイレート劣化抑制制御を非実行とすることにより、ハイレート劣化の回復を図るとともに、ＳＯＣ下限までＥＶ走行可能としてＥＶ走行距離を確保することができる。
【００４３】
図２は、電池１６のＳＯＣの推移の一例を示した図である。図２を参照して、外部充電により電池１６が満充電状態（ＳＯＣ＝ＭＡＸ）となった後、時刻ｔ０においてＥＶモードで走行が開始されたものとする。
【００４４】
ＥＶモードは、電池１６のＳＯＣを積極的に消費するモードであり、基本的には、電池１６に蓄えられた電力（主には外部充電による電気エネルギー）を消費するものである。ＥＶモードでの走行時は、ＳＯＣを維持するためにはエンジン２は作動しない。具体的には、たとえば、ＥＶモード中は電池１６の充電要求パワーが零に設定される。これにより、車両の減速時等に回収される回生電力やエンジン２の作動に伴ない発電される電力により一時的にＳＯＣが増加することはあるものの、結果的に充電よりも放電の割合の方が相対的に大きくなり、全体としては走行距離の増加に伴ないＳＯＣが減少する。
【００４５】
なお、ＥＶモードにおいても、車両パワー（車両駆動パワー）がエンジン始動しきい値を超えれば、エンジン２は作動する。また、車両パワーがエンジン始動しきい値を超えていなくても、エンジン２や排気触媒の暖機時などエンジン２の作動が許容される場合もある。すなわち、ＥＶモードにおいても、ＥＶ走行とＨＶ走行とが可能である。なお、このようなＥＶモードは、「ＣＤ（Charge  Depleting）モード」と称されることもある。
【００４６】
時刻ｔ３において、ＳＯＣが下限ＳＬまで低下すると、ＥＶモードからＨＶモードに制御モードが切替えられる（時刻ｔ１からｔ２のＨＶＳモードについては後述）。ＨＶモードは、ＳＯＣを下限ＳＬに制御（維持）するモードである。具体的には、ＳＯＣが下限ＳＬよりも低下するとエンジン２が作動し（ＨＶ走行）、ＳＯＣが上昇するとエンジン２が停止する（ＥＶ走行）。このように、ＨＶモードでは、ＳＯＣを維持するためにエンジン２が作動する。
【００４７】
なお、ＨＶモードにおいても、ＳＯＣが高くなればエンジン２は停止する。すなわち、ＨＶモードは、エンジン２を常時作動させて走行するＨＶ走行に限定されるものではなく、ＨＶモードにおいても、ＥＶ走行とＨＶ走行とが可能である。
【００４８】
ＨＶＳモードは、ユーザの要求に従ってＳＯＣを下限ＳＬよりも高い状態に維持するモードである。この例では、時刻ｔ１においてユーザの要求があり、要求が解除される時刻ｔ２までＳＯＣがユーザ要求時の値ＳＣ１（ＳＣ１＞ＳＬ）に制御（維持）される。なお、ＨＶＳモードへの移行要求及び解除は、たとえば、ユーザが操作可能な図示しない操作部からユーザにより入力される。
【００４９】
ＨＶＳモードでは、ＳＯＣが値ＳＣ１よりも低下するとエンジン２が作動し（ＨＶ走行）、ＳＯＣが上昇するとエンジン２が停止する（ＥＶ走行）。このように、ＨＶＳモードでも、ＳＯＣを維持するためにエンジン２が作動する。ＳＯＣが維持されるＨＶモード及びＨＶＳモードは、纏めて「ＣＳ（Charge  Sustain）モード」と称されることもある。
【００５０】
なお、ＨＶＳモードにおいても、ＨＶモードと同様に、ＳＯＣが高くなればエンジン２は停止する。すなわち、ＨＶＳモードも、エンジン２を常時作動させて走行するＨＶ走行に限定されるものではなく、ＨＶＳモードにおいても、ＥＶ走行とＨＶ走行とが可能である。
【００５１】
なお、ＥＶモードにおけるエンジン始動しきい値は、ＨＶモード及びＨＶＳモードにおけるエンジン始動しきい値よりも大きくするのが好ましい。すなわち、ＥＶモードにおいてハイブリッド車両１００がＥＶ走行する領域は、ＨＶモード及びＨＶＳモードにおいてハイブリッド車両１００がＥＶ走行する領域よりも大きいのが好ましい。これにより、ＥＶモードにおいては、エンジン２が始動する頻度がさらに抑制され、ＥＶ走行の機会をさらに拡大することができる。
【００５２】
なお、ＳＯＣが維持されるＨＶモード及びＨＶＳモードにおいては、電池１６のＳＯＣに基づいて電池１６の充電要求パワーが算出される。たとえば、図３に示されるように、ＳＯＣ（算出値）と制御目標ＳＣ（ＨＶモードにおいては下限ＳＬ、ＨＶＳモードにおいては値ＳＣ１）との偏差に基づいて、電池１６の充放電要求パワーが決定される。そして、車両駆動パワーに充電要求パワーを加えたパワー（車両パワー）を発生するように車両駆動装置２２が制御される。これにより、ＨＶモードにおいては、下限ＳＬの近傍にＳＯＣが制御され、ＨＶＳモードにおいては、値ＳＣ１の近傍にＳＯＣが制御される。
【００５３】
時刻ｔ４において、ＨＶモードが選択されている場合に、ハイレート劣化の評価値（ΣＤ）によりハイレート劣化が進行しているものと評価されると、ハイレート劣化抑制制御が実行され、ＳＯＣの制御目標が下限ＳＬから所定値ＳＣ２（ＳＣ２＞ＳＬ）に高められる。なお、一例として、下限ＳＬがＳＯＣ２０％程度に設定されるのに対し、所定値ＳＣ２はＳＯＣ５０％程度に設定される。
【００５４】
図４は、ハイレート劣化の評価値（ΣＤ）とＳＯＣ目標との関係の一例を示した図である。図４を参照して、評価値（ΣＤ）が負値として増加し、時刻ｔ１１において、ＨＶモードが選択されている場合に評価値（ΣＤ）がしきい値ＳＤｔｈ（負値）に達すると、ＳＯＣの制御目標（図３の目標ＳＣ）が下限ＳＬから値ＳＣ２に高められる。これにより、評価値（ΣＤ）の増加傾向（負方向への増加）が抑制される。なお、特に図示しないが、評価値（ΣＤ）の増加（負方向への増加）に応じてＳＯＣ目標を段階的に高めてもよい。
【００５５】
再び図２を参照して、時刻ｔ５において外部充電が開始され、ＳＯＣが上昇する。時刻ｔ６において電池１６が満充電状態（ＳＯＣ＝ＭＡＸ）に達すると、外部充電が終了する。そして、この実施の形態では、外部充電が実行されると、ハイレート劣化抑制制御が実行されていた場合には当該制御が非実行とされる。すなわち、ハイレート劣化抑制制御の実行中に外部充電が実行されると、評価値（ΣＤ）に拘わらず（評価値がしきい値ＳＤｔｈに達していたとしても）ハイレート劣化抑制制御が非実行とされる。
【００５６】
外部充電が実行されると、ユーザは、十分なＥＶ走行距離が確保されているものと期待する。しかしながら、ハイレート劣化抑制制御が実行（継続）されていると、ＳＯＣ制御目標が高められているために、ＥＶ走行距離が短くなったり、ＳＯＣとＳＯＣ制御目標（ハイレート劣化抑制制御の実行中は値ＳＣ２）との偏差がＳＯＣ残量として表示されるような場合に蓄電量が十分でないとの違和感をユーザが覚える可能性もある。そこで、この実施の形態では、上記のように、外部充電が実行されるとハイレート劣化抑制制御を非実行とすることにより、外部充電後のＥＶ走行距離を確保するとともに、ＳＯＣ残量表示においてユーザが違和感を覚えるのを抑制することとしたものである。
【００５７】
時刻ｔ７において、外部充電が終了し、ハイレート劣化抑制制御が非実行とされ、ＥＶモードが選択される。これにより、外部充電後のＥＶ走行距離が確保されるとともに、ＥＶ走行が継続的に行なわれることによりハイレート劣化の回復が期待される。
【００５８】
なお、この実施の形態では、ＨＶＳモードが選択されている場合に、評価値（ΣＤ）がしきい値ＳＤｔｈ（負値）に達しても、ハイレート劣化抑制制御は実行されない。ＨＶＳモードが選択されている場合は、ＳＯＣが下限ＳＬよりも高い状態に維持されるので、ハイレート劣化の進行が抑制される。また、ＨＶＳモードは、ＳＯＣを確保して後のＥＶ走行を可能にしたい場合等に選択され得る。このような場合にハイレート劣化抑制制御が実行されていると、ＳＯＣの制御目標が高められていることにより、ＥＶ走行距離が短くなったり、ＥＶ走行ができなくなる可能性がある。そこで、上述のように、この実施の形態では、ＨＶＳモードが選択されている場合には、ハイレート劣化抑制制御が非実行とされる。
【００５９】
図５は、図１に示したＥＣＵ２６の機能ブロック図である。図５を参照して、ＥＣＵ２６は、ＳＯＣ算出部５２と、ダメージ量算出部５４と、評価値算出部５６と、記憶部５８と、判定部６０と、ＳＯＣ制御部６２と、モード制御部６４と、走行制御部６６と、外部充電制御部６８とを含む。
【００６０】
ＳＯＣ算出部５２は、電流センサ２４（図１）及び／又は図示されない電圧センサによって検出される電池１６の電流Ｉ及び／又は電圧に基づいて、電池１６のＳＯＣを算出する。ＳＯＣの具体的な算出方法については、電流Ｉの積算値を用いる手法や、電池１６の開回路電圧（ＯＣＶ（Open  Circuit  Voltage））とＳＯＣとの関係を示すＯＣＶ−ＳＯＣカーブを用いる手法等、種々の公知の手法を用いることができる。
【００６１】
ダメージ量算出部５４は、電池１６に対して入出力される電流Ｉとその通電時間とに基づいて、電池１６内の塩濃度の偏りに起因した電池１６のダメージ量Ｄを算出する。ダメージ量Ｄは、たとえば、以下の式（１）に基づいて、所定の周期Δｔで算出される。
【００６２】
Ｄ（Ｎ）＝Ｄ（Ｎ−１）−α×Δｔ×Ｄ（Ｎ−１）＋（β／Ｃ）×Ｉ×Δｔ  …（１）
ここで、Ｄ（Ｎ）はダメージ量Ｄの今回演算値を示し、Ｄ（Ｎ−１）は、周期Δｔ前に算出されたダメージ量Ｄの前回演算値を示す。Ｄ（Ｎ−１）は、前回演算時に記憶部５８に記憶され、今回演算時に記憶部５８から読み出される。
【００６３】
式（１）における右辺第２項のα×Δｔ×Ｄ（Ｎ−１）は、ダメージ量Ｄの減少項であり、塩濃度の偏りが緩和するときの成分を示す。αは忘却係数であり、電池１６の電解液中におけるイオンの拡散速度に対応する係数である。拡散速度が高いほど、忘却係数αは大きくなる。α×Δｔの値は、０から１までの値となるように設定される。このダメージ量Ｄの減少項は、忘却係数αが大きいほど（すなわちイオンの拡散速度が高いほど）、また、周期Δｔが長いほど、大きな値となる。
【００６４】
忘却係数αは、電池１６のＳＯＣや温度に依存する。忘却係数αと、電池１６のＳＯＣ及び温度との対応関係を実験等によって予め求めて記憶部５８に記憶しておき、演算時の電池１６のＳＯＣ及び温度に基づいて忘却係数αが設定される。なお、忘却係数αは、たとえば、電池１６の温度が同じであればＳＯＣが高いほど大きい値に設定され、ＳＯＣが同じであれば電池１６の温度が高いほど大きい値に設定され得る。
【００６５】
式（１）における右辺第３項の（β／Ｃ）×Ｉ×Δｔは、ダメージ量Ｄの増加項であり、塩濃度の偏りが発生するときの成分を示す。βは電流係数であり、Ｃは限界しきい値を示す。このダメージ量Ｄの増加項は、電流Ｉが大きいほど、また、周期Δｔが長いほど、大きな値となる。
【００６６】
電流係数β及び限界しきい値Ｃは、電池１６のＳＯＣや温度に依存する。電流係数β及び限界しきい値Ｃの各々と、電池１６のＳＯＣ及び温度との対応関係を実験等によって予め求めて記憶部５８に記憶しておき、演算時の電池１６のＳＯＣ及び温度に基づいて、電流係数β及び限界しきい値Ｃが設定される。なお、限界しきい値Ｃは、たとえば、電池１６の温度が同じであればＳＯＣが高いほど大きい値に設定され、ＳＯＣが同じであれば電池１６の温度が高いほど大きい値に設定される。
【００６７】
このように、塩濃度の偏りの発生及び緩和をそれぞれ上記の増加項及び減少項で表して現在のダメージ量Ｄを算出することにより、ハイレート劣化の要因と考えられる塩濃度の偏りの変化（増減）を適切に把握することができる。
【００６８】
評価値算出部５６は、電池１６のハイレート劣化の度合いを示す評価値ΣＤを算出する。ハイレート劣化の進行状態は、ダメージ量算出部５４によって算出されるダメージ量Ｄの積算値を用いて評価される。評価値ΣＤは、たとえば、以下の式（２）に基づいて算出される。
【００６９】
ΣＤ（Ｎ）＝γ×ΣＤ（Ｎ−１）＋η×Ｄ（Ｎ）  …（２）
ここで、ΣＤ（Ｎ）は評価値の今回演算値を示し、ΣＤ（Ｎ−１）は、周期Δｔ前に算出された評価値の前回演算値を示す。γは減衰係数であり、ηは補正係数である。ΣＤ（Ｎ−１）は、前回演算時に記憶部５８に記憶され、今回演算時に記憶部５８から読み出される。γ及びηも、記憶部５８に予め記憶され、今回演算時に記憶部５８から読み出される。
【００７０】
減衰係数γは、１よりも小さい値に設定される。時間の経過に伴なうイオンの拡散によって塩濃度の偏りが緩和されるので、今回の評価値ΣＤ（Ｎ）を算出するときに、前回の評価値ΣＤ（Ｎ−１）が減少していることを考慮するものである。補正係数ηは、適宜設定される。
【００７１】
このようにして算出される評価値ΣＤは、電池１６が充電過多の使われ方をすると、充電過多に応じた塩濃度の偏りが増加することにより負方向（負値）に増加する。なお、電池１６が放電過多の使われ方をした場合には、評価値ΣＤは、放電過多に応じた塩濃度の偏りが増加することにより正方向（正値）に増加する。
【００７２】
判定部６０は、評価値算出部５６によって算出された評価値ΣＤがしきい値ＳＤｔｈ（図４）に達しているか否かを判定する。上述のように、ハイレート劣化は、特に、低ＳＯＣ領域で充電方向の電流が流れると促進される特性を有するところ、具体的には、判定部６０は、評価値ΣＤが負方向に増加してしきい値ＳＤｔｈ（負値）を下回っているか否かを判定する。
【００７３】
モード制御部６４は、ＥＶモード、ＨＶモード、及びＨＶＳモードの切替を制御する。具体的には、外部充電が終了すると、モード制御部６４は、ＥＶモードを選択する。ＥＶモードでの走行によりＳＯＣが下限ＳＬまで低下すると、モード制御部６４は、ＥＶモードからＨＶモードに切替える。また、モード制御部６４は、ユーザの要求に従ってＨＶＳモードを選択する。ＥＶモード中に上記要求があった場合には、ＳＯＣがそのときの値に維持される。ＨＶモード中に上記要求があった場合には、たとえば、下限ＳＬよりも所定量高い値にＳＯＣを維持するようにしてもよいし、ＨＶＳモードへの切替を不可としてもよい。
【００７４】
ＳＯＣ制御部６２は、モード制御部６４からモードの選択情報を受けるとともに、判定部６０における判定結果を判定部６０から受ける。そして、ＳＯＣ制御部６２は、ＨＶモードが選択されており、かつ、判定部６０において評価値ΣＤがしきい値ＳＤｔｈに達していると判定されている場合に、ＳＯＣの制御目標を下限ＳＬから値ＳＣ２（ＳＣ２＞ＳＬ）へ高める（ハイレート劣化抑制制御）。
【００７５】
走行制御部６６は、車速とアクセル開度とに基づいて車両駆動パワー（要求値）を算出する。また、走行制御部６６は、モード制御部６４からモードの選択情報を受け、ＨＶモード又はＨＶＳモードが選択されている場合には、ＳＯＣに基づいて電池１６の充電要求パワーをさらに算出し（図３）、車両駆動パワーに充電要求パワーを加えた車両パワーを算出する。なお、ＥＶモードが選択されている場合には、走行制御部６６は、車両駆動パワーを車両パワーとする。
【００７６】
そして、車両パワーがエンジン始動しきい値よりも小さいときは、走行制御部６６は、ＥＶ走行を行なうように車両駆動装置２２を制御する。一方、車両パワーがエンジン始動しきい値以上であるときは、走行制御部６６は、エンジン２を作動させてＨＶ走行を行なうように車両駆動装置２２を制御する。このとき、エンジン２の出力が車両パワーよりも大きければ電池１６は充電され、車両パワーの方がエンジン出力よりも大きければ電池１６は放電する。
【００７７】
また、車両の制動時や降坂走行時には、走行制御部６６は、モータジェネレータ１０が発電して制動力を発生するように車両駆動装置２２（モータジェネレータ１０及び電力変換器２０）を制御する。
【００７８】
そして、ＳＯＣ制御部６２は、車両駆動装置２２による発電の状況を走行制御部６６から取得し、車両駆動装置２２による発電が所定期間継続すると、ハイレート劣化抑制制御が実行されている場合には、ハイレート劣化抑制制御を非実行とする。たとえば、連続した降坂走行に伴ないモータジェネレータ１０の回生発電が所定期間継続すると、ハイレート劣化抑制制御が非実行とされる。
【００７９】
降坂走行が継続すると、ユーザは、十分な電力量が回収されることにより十分なＥＶ走行距離が確保されているものと期待する。しかしながら、ハイレート劣化抑制制御が実行（継続）されていると、ＳＯＣ制御目標が高められるので、ＥＶ走行距離が短くなり、また、上述のようにＳＯＣ残量表示において違和感をユーザが覚える可能性がある。そこで、この実施の形態では、車両駆動装置２２による発電（主にはモータジェネレータ１０の回生発電）が所定期間継続するとハイレート劣化抑制制御を非実行として、所定期間経過後のＥＶ走行距離を確保するようにしている。
【００８０】
外部充電制御部６８は、接続部３０に外部電源が接続されている場合に、所定の充電実行条件が成立すると、外部充電を実行する。具体的には、外部充電制御部６８は、接続部３０に電気的に接続される外部電源からの電力を電池１６の電圧レベルに変換して電池１６へ出力するように充電器２８を制御する。
【００８１】
そして、ＳＯＣ制御部６２は、外部充電が実行された旨の通知を外部充電制御部６８から受けると、ハイレート劣化抑制制御が実行されている場合には、ハイレート劣化抑制制御を非実行とする。連続した降坂走行後の場合と同様に、ユーザは、外部充電後に十分なＥＶ走行距離が確保されているものと期待する。そこで、この実施の形態では、外部充電が実行されるとハイレート劣化抑制制御を非実行として、外部充電後のＥＶ走行距離を確保するようにしている。
【００８２】
図６は、ＥＣＵ２６により実行されるハイレート劣化抑制制御の処理手順の一例を示したフローチャートである。なお、このフローチャートに示される処理は、所定の周期Δｔ毎にメインルーチンから呼び出されて実行される。
【００８３】
図６を参照して、ＥＣＵ２６は、電池１６に入出力される電流Ｉを電流センサ２４によって検出する（ステップＳ１０）。次いで、ＥＣＵ２６は、電池１６のＳＯＣを算出する（ステップＳ２０）。なお、ＳＯＣの算出には、種々の公知の手法を用い得る。
【００８４】
続いて、ＥＣＵ２６は、ステップＳ１０において検出された電流Ｉ、及びステップＳ２０において算出されたＳＯＣに基づいて、上述の式（１）を用いて電池１６のダメージ量Ｄを算出する（ステップＳ３０）。さらに、ＥＣＵ２６は、上述の式（２）を用いて、ステップＳ３０において算出されたダメージ量Ｄに基づいて、電池１６のハイレート劣化の度合いを示す評価値ΣＤを算出する（ステップＳ４０）。
【００８５】
次いで、ＥＣＵ２６は、ＥＶモード、ＨＶモード及びＨＶＳモードのうち、いずれの制御モードが選択されているかを判定する（ステップＳ５０）。ＨＶモードが選択されていると判定されると（ステップＳ５０において「ＨＶ」）、ＥＣＵ２６は、評価値ΣＤがしきい値ＳＤｔｈ（負値）を下回っているか否かを判定する（ステップＳ６０）。
【００８６】
そして、評価値ΣＤがしきい値を下回っていると判定されると（ステップＳ６０においてＹＥＳ）、ＥＣＵ２６は、ハイレート劣化抑制制御の実行を示す制御実行フラグをオンにし（ステップＳ７０）、ＳＯＣの制御目標を下限ＳＬから値ＳＣ２（図２）へ高める（ステップＳ８０）。これにより、ＳＯＣが下限ＳＬから上昇し、ハイレート劣化が抑制される。
【００８７】
なお、ステップＳ６０において評価値ΣＤがしきい値ＳＤｔｈ以上である（しきい値ＳＤｔｈに達していない）と判定された場合は（ステップＳ６０においてＮＯ）、ステップＳ７０，Ｓ８０の処理は実行されずにリターンへと処理が移行される。
【００８８】
ステップＳ５０においてＥＶモード又はＨＶＳモードが選択されていると判定された場合は（ステップＳ５０において「ＥＶ，ＨＶＳ」）、ＥＣＵ２６は、制御実行フラグをオフにする（ステップＳ９０）。すなわち、ＥＶモード又はＨＶＳモードが選択されている場合は、ハイレート劣化抑制制御は非実行とされる。
【００８９】
図７は、ハイレート劣化抑制制御の終了判定の一例を示したフローチャートである。なお、このフローチャートに示される処理は、所定の周期Δｔ毎にメインルーチンから呼び出されて実行される。
【００９０】
図７を参照して、ＥＣＵ２６は、ハイレート劣化抑制制御の実行を示す制御実行フラグがオンされているか否かを判定する（ステップＳ１１０）。制御実行フラグが既にオフである場合は（ステップＳ１１０においてＮＯ）、ハイレート劣化抑制制御は実行されていないので、リターンへと処理が移行される。
【００９１】
ステップＳ１１０において制御実行フラグがオンであると判定されると（ステップＳ１１０においてＹＥＳ）、ＥＣＵ２６は、外部充電が実行されたか否かを判定する（ステップＳ１２０）。たとえば、外部電源側の接続部（コネクタ等）が接続部３０（図１）から切離されると、外部充電が実行されたものと判定される。
【００９２】
そして、外部充電が実行されたものと判定されると（ステップＳ１２０においてＹＥＳ）、ＥＣＵ２６は、制御実行フラグをオフにする（ステップＳ１５０）。これにより、ハイレート劣化抑制制御は非実行とされる。したがって、ＳＯＣの目標も、値ＳＣ２（図２）から通常の下限ＳＬへ復帰する。
【００９３】
ステップＳ１２０において外部充電は実行されていないと判定されると（ステップＳ１２０においてＮＯ）、ＥＣＵ２６は、車両駆動装置２２による発電が所定期間継続したか否かを判定する（ステップＳ１３０）。たとえば、連続した降坂走行に伴ないモータジェネレータ１０の回生発電が所定期間継続すると、発電が所定期間継続したものと判定される。なお、ステップＳ１２０において外部充電は実行されていないとの判定は、外部充電が開始されていない場合を含む。
【００９４】
ステップＳ１３０において車両駆動装置２２による発電が所定期間継続したものと判定されると（ステップＳ１３０においてＹＥＳ）、ＥＣＵ２６は、ステップＳ１５０へ処理を移行し、制御実行フラグをオフにする。すなわち、車両駆動装置２２による発電が所定期間継続した場合も、ハイレート劣化抑制制御は非実行とされ、ＳＯＣ目標が下限ＳＬへ復帰する。
【００９５】
なお、ステップＳ１３０において車両駆動装置２２による発電は所定期間継続していないと判定された場合（ステップＳ１３０においてＮＯ）、ＥＣＵ２６は、ＳＯＣが所定値よりも高いか否かを判定する（ステップＳ１４０）。この所定値は、ハイレート劣化抑制制御を非実行としても、その後のＥＶモードにおける継続的な放電によりハイレート劣化の回復が期待できるレベルに設定される。
【００９６】
そして、ステップＳ１４０においてＳＯＣが所定値よりも高いと判定されると（ステップＳ１４０においてＹＥＳ）、ＥＣＵ２６は、ステップＳ１５０へ処理を移行し、制御実行フラグをオフにする。すなわち、ハイレート劣化抑制制御は非実行とされ、ＳＯＣ目標が下限ＳＬへ復帰する。なお、このようなケースは、たとえば、ハイレート劣化抑制制御中に車両駆動装置２２による発電が行なわれ、所定期間継続した発電は行なわれていないけれどもＳＯＣが高いレベルまで回復した場合等が想定される。
【００９７】
以上のように、この実施の形態においては、ＨＶモードが選択され、かつ、ハイレート劣化の評価値ΣＤにより電池１６が劣化しているものと評価される場合に、ＳＯＣの制御目標をＳＯＣ下限よりも高めることによってＳＯＣを上昇させるハイレート劣化抑制制御が実行される。これにより、ＳＯＣが下限に制御されることでハイレート劣化が促進されるのを抑制することができる。
【００９８】
そして、ＥＶモードが選択されている場合には、評価値ΣＤがしきい値に達していても、ハイレート劣化抑制制御が非実行とされる。これにより、ＳＯＣの下限までＥＶ走行可能となり、ＥＶ走行距離を確保することができる。
【００９９】
また、この実施の形態においては、ＨＶＳモードが選択されている場合にも、ハイレート劣化抑制制御が非実行とされる。これにより、ハイレート劣化の進行を抑制しつつＥＶ走行距離も確保することができる。
【０１００】
また、この実施の形態においては、外部充電が実行されると、或いは、車両駆動装置２２による発電が所定期間継続すると、ハイレート劣化抑制制御が非実行とされる。これにより、外部充電後や連続した降坂走行後のＥＶ走行距離を確保するとともに、ＳＯＣ残量表示においてユーザが違和感を覚えるのを抑制することができる。
【０１０１】
なお、上記の実施の形態では、外部電源から供給される電力を電池１６の電圧レベルに変換する充電器２８が設けられるものとしたが、そのような充電器２８を設けることなく、直流の外部電源によって電池１６を直接（電力変換することなく）充電するようにしてもよい。
【０１０２】
また、上記の実施の形態では、ＨＶＳモードが選択されている場合に、ハイレート劣化抑制制御が非実行とされるものとしたが、ＳＯＣの条件を含めてもよい。たとえば、ＨＶＳモードが選択されている場合において、ＳＯＣが所定値よりも高ければハイレート劣化抑制制御を非実行とし、ＳＯＣが所定値以下であれば、ハイレート劣化抑制制御が継続されるものとしてもよい。
【０１０３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【符号の説明】
【０１０４】
２  エンジン、４  動力分割装置、６，１０  モータジェネレータ、８  伝達ギヤ、１２  駆動軸、１４  車輪、１６  電池、１８，２０  電力変換器、２２  車両駆動装置
２４  電流センサ、２８  充電器、３０  接続部、５２  ＳＯＣ算出部、５４  ダメージ量算出部、５６  評価値算出部、５８  記憶部、６０  判定部、６２  ＳＯＣ制御部、６４  モード制御部、６６  走行制御部、６８  外部充電制御部、１００  ハイブリッド車両。
【図１】
2019130984.tif 000003
【図２】
2019130984.tif 000004
【図３】
2019130984.tif 000005
【図４】
2019130984.tif 000006
【図５】
2019130984.tif 000007
【図６】
2019130984.tif 000008
【図７】
2019130984.tif 000009